【事件の表示】
　平成１１年特許願第　７７７０４号「ゴルフボ−ル包装体」拒絶査定不服審判事件〔平成１２年１０月　３日出願公開、特開２０００−２７２６６０〕について、次のとおり審決する。
【結　論】
　本件審判の請求は、成り立たない。
【理　由】
　１．手続の経緯及び本願各請求項に係る発明
　本願は、平成１１年３月２３日を出願日とする特許出願であり、当審において、平成１８年６月６日付けで、本件各請求項に係る発明は、本件出願前に頒布された刊行物である
 １　登録実用新案第３０２５８０３号公報 
 ２　特開平９−１０６４３２号公報 
 ３　特公平４−５１４１４号公報 
に記載された発明に基づいて、その出願前にその発明の属する技術の分野における通常の知識を有する者が容易に発明をすることができたものであるから、特許法第２９条第２項の規定により特許を受けることができない旨の拒絶理由の通知が通知された。
　そして、本願各請求項に係る発明は、平成１８年８月４日付手続補正書により補正された特許請求の範囲の欄中に記載された、以下のとおりのものである。
【請求項１】　ゴルフボール包装体のブランド名、ボールの構造およびメーカー名を示す印刷表示がなされた正面に白地の部分を設け、この白地の部分に、可視光線下では顕出せず、波長が約３４０〜４００ｎｍの近紫外線を照射したときに、緑、黄、橙、赤、桃、紫、青、黒もしくは白の単独、またはこれらを基調とする複数色の組み合わせよりなる色彩を生み出す蛍光塗料を用いて熱転写、タンポ印刷またはインクジェットによって形成された識別マークであって、ボ−ル製造工場および製造年月旬が文字、数字または図形によって表示されたゴルフボ−ル供給側の関係者にのみ必要な識別マークを有し、かつ、上記識別マークの上を透明の樹脂膜によって被覆したことを特徴とするゴルフボール包装体。（以下、「本願発明１」という。）
【請求項２】　上記ゴルフボール包装体は、ゴルフボール３個を収納するパッケージである請求項１に記載のゴルフボール包装体。
【請求項３】　上記ゴルフボール包装体は、ゴルフボール３個を収納するパッケージ４個を収納する厚紙製ダ−ス単位のパッケージである請求項１に記載のゴルフボール包装体。
　
２．引用刊行物の記載
２−１　登録実用新案第３０２５８０３号公報の記載
　登録実用新案第３０２５８０３号公報（以下、「刊行物１」という。）には、段落番号【００１１】に、
「また、図２は、小箱１の展開状態を示しており、この小箱１は、その外側面３の四面（面Ａ、面Ｂ、面Ｃ及び面Ｄ）にわたって、キャッチフレーズや商品名やメーカー名等の図柄Ｐが連続状に表示されている。」
と記載され、キャッチフレーズや商品名やメーカー名等の図柄が表示されることが記載されており、
段落番号【００１７】に、
「また、図４は、小箱１の展開状態を示しており、この小箱１は、その外側面３の四面（面Ａ、面Ｂ、面Ｃ及び面Ｄ）の内の三面（面Ａ、面Ｂ及び面Ｃ）にわたって、上記説明と同様の図柄Ｐが連続状に表示されている。なお、面Ｄは空白となっている。」
と記載され、空白の面を設けることが記載されている。
　また、この空白の面に関して、段落番号【００２０】に、
「そして、小箱１…三箱を収納した外箱２を、仮想線で示す透明フィルム５にて全体包囲状に被覆し、図柄Ｐを外部から目視可能とさせる。と共に、蓋を省いて包装形態の合理化を行っている。なお、空白部分の上記面Ｄにも、商品名やメーカー名、個数及びそれらの情報を含めたバーコード等を表示するも良い。また、小箱１…を外箱２内に前後に並べた包装形態として、図柄Ｐの表示を縦向きに描くなど自由である。なお、本考案に於て、「図柄」とは、商品名、商標、広告用キャッチフレーズ、店頭広告用の文字や絵、各種の絵や記号等を言うものとする。」
段落番号【００２４】に、「・・・また、表て面とならない空白面に（製造年月日、商品番号、ロット番号等の）社内向けの情報を表示すれば、まとまっていて読み易い。・・・」と記載されており、空白の面に、製造年月日、商品番号、ロット番号等の社内向けの情報を表示することが記載されており、その面が空白面であり、他の面と異なることから、それら情報が必要な場合にその記載位置を発見することが容易であることは、明らかである。
　そして、図柄の表示を印刷により行うことは通常の事項であり、刊行物１の記載に、敢えて同表示を印刷によらないとする格別の記載は認められない。
　したがって、これら記載と図面の記載とを総合すると、刊行物１には、
　ゴルフボール包装箱の表面上に商品名、商標、広告用キャッチフレーズ、店頭広告用の文字や絵、各種の絵や記号等の印刷表示をなし、同印刷表示のない空白の面を設け、空白の面に、製造年月日、商品番号、ロット番号等の社内向けの情報をを表示したゴルフボール包装箱
の発明（以下、「刊行物１発明」という。）が記載されている。
 さらに刊行物１の【請求項３】に、
「ゴルフボールを三個ずつ区分けして収納する小箱１と、四つの該小箱１…を収納する外箱２と、を備えたゴルフボール包装箱に於て、上記小箱１の外側面３の四面にわたって連続状に図柄Ｐを表示し、かつ、四つの上記小箱１…を順次90度回転させて外箱２に収納したことを特徴とするゴルフボール包装箱。」
段落番号【００１５】に、
「さらに、本考案のゴルフボール包装箱は、このように小箱１…四箱を収納した外箱２に、仮想線で示す透明フィルム５（ラップやシュリンクパック等）を全体包囲状に被覆させて、蓋を省略するように構成したものである。透明フィルム５を用いることによって、包装しても図柄Ｐが外部から目視可能となると共に、蓋が省かれ包装形態の合理化を行うことができる。」
と記載され、図柄について前記の通り段落番号【００２０】に、
「・・なお、本考案に於て、「図柄」とは、商品名、商標、広告用キャッチフレーズ、店頭広告用の文字や絵、各種の絵や記号等を言うものとする。」
と記載されているので、
小箱１を４個入れた所謂ダース箱の表面の表示に換えて、小箱の表面に設けた商品名、商標、広告用キャッチフレーズ、店頭広告用の文字や絵、各種の絵や記号等の表示を用いることが記載されており、同表示に関して、
段落番号【００２３】に、
「・・・（請求項３記載のゴルフボール包装箱によれば）小箱１の外側面３の四面全てが表てを向くことにより、各四面に表記している情報───例えば、製造年月日、商品番号、ロット番号等の社内向けの情報や、個数、値段、特徴等の消費者向けの情報───を迅速に読み取ることができる。」
と、社内向けの情報も表示することが記載されている。
　したがって、刊行物１には、蓋が省かれた包装形態ではあるものの、
　商品名、商標、広告用キャッチフレーズ、店頭広告用の文字や絵、各種の絵や記号等及び製造年月日、商品番号、ロット番号等の社内向けの情報を所謂ダース箱の表面にともに表示とすること
が記載されるものと認める。
　
２−２　特開平９−１０６４３２号公報の記載
　特開平９−１０６４３２号公報（以下、「刊行物２」という。）の段落番号【０００３】に、
「【発明が解決しようとする課題】 
 　このような上記各種物品の搬送、配送において、各物品の外面に表示される認識マークは、適宜着色インキを用いて表示され・・・認識マークが、仕分け後の物品の外面に表示されている製品名や商標、あるいはサービスマーク、ロゴマーク、製品メーカー名や製品内容を表示する印刷表示などと混同したり、物品の外観を認識マークが損ねたりしかねない。」
と、物品の外観表示に関して、製品の内容表示ではない搬送、配送のための認識マークを着色インキを用いて目し可能とした場合の、製品内容を表示する印刷表示と製品の内容表示ではない搬送、配送のための認識マークとの混同の問題、製品外観を損ねる問題を記載しており、
さらに、刊行物２の段落番号【０００４】に、
「本発明は、各種物品の搬送、配送において、・・製品を包装した包装体（段ボール詰め製品など）など各物品の外面に表示される認識マークを、透明なインキ、又は物品外面と同色の色インキを用いて表示することにより、物品の外面に表示されている製品名や製品メーカー名や製品内容の印刷表示と混同したり、物品の外観を損ねたりしないようにすることにある。」
段落番号【００５２】に、「【発明の効果】 
 ・・表示された前記認識コードは、無色透明乃至無色に近い淡色透明、又は仕分けすべき物品の表面色と同系色に着色された、それぞれ赤外線吸収性インキ若しくは紫外線発光性の蛍光インキを用いて表示されているために外面的には目立つことが無く、仕分け後において、例えば、物品の正規位置に表示されているそれぞれ製品名、製品内容、商標、サービスマーク、ロゴマーク、製品メーカー名などの表示と、前記認識コードとを混同したり、前記認識コードによって物品の外観や意匠を損ねたりすることを回避できる効果がある。」
段落番号【０００８】に、
「次に本発明の第２の発明は、・・・各物品１に、コード付加手段２０により紫外線照射により蛍光を発する蛍光インキを用いて認識コードＭをパターン形成し、画像読取手段３０により前記識別コードＭに紫外線を照射して該識別コードＭを画像として読み取り、読み取られた識別コードＭによる固有情報に基づいて、物品仕分け手段４０により各物品１を仕分けすることを特徴とする物品仕分けシステムである。」
段落番号【００２３】に、
「前記コード付加手段２０は、公知のインキシェット印刷方式、転写紙を介在させた加熱転写印字方式、あるいはスタンプ押印方式など、本発明においては特に限定されない。」
段落番号【００３９】に、
「次に、第２の発明の物品仕分けシステムは、認識コードＭのパターン形成に使用するインキとして、紫外線照射により蛍光（可視光）を発する透明（無色透明乃至淡色透明）な蛍光インキが使用される。」
段落番号【００４６】に、
「また上記第２の発明システムにおいては、認識コードＭのパターン形成に使用される蛍光インキとして、認識コードＭのパターン形成される物品１の表面色と同系色に着色されたインキが使用される。」
段落番号【００５０】に、
「次に第４の発明の物品仕分け用認識コードは、仕分けすべき物品の一面に、物品を仕分けするための固有情報として、紫外線によって発光する透明な蛍光インキ、又は仕分けすべき物品と同系色に着色された蛍光インキを用いてパターン形成されているものであり、本発明の第１の発明システム、又は第２の発明システムにおいて使用されるものである。」
と記載されており、上記の問題を解決する手段として、
　製品名や商標、あるいはサービスマーク、ロゴマーク、製品メーカー名や製品内容を表示する印刷表示以外の、商品に係る表示がなされた外観や意匠を損ねたりすることを回避して、製品等の購入者が必要とすることがない情報である仕分けのための認識コードを無色透明の紫外線発光性の蛍光インキを用いて付加すること
が記載されている。
　
２−３　特公平４−５１４１４号公報の記載
　特公平４−５１４１４号公報（以下、「刊行物３」という。）の第１頁第１欄第１７−２１行に、
「１はプラスチツクチューブ容器の胴部、２は該胴部１の一方の側の面に模様や文字２’等を印刷した部分、３は該印刷部分２と胴部１の端部１’との間の部分に設けた位置合せ用マーク・・」
第２頁第３欄第５−７行に、
「第２図のチューブ容器は模様や文字等の間に、・・マークをもつので・・」
第２頁第３欄第１８−１９行に、
「紫外線照射を受けたときのみ発光する蛍光塗料から成る位置合せマークを有する。」
第２頁第４欄第１−３行に、
「即ち、マーク３を設ける部分を除いて、胴部１の端部１’近傍まで模様や文字等の印刷を施した様式のものである。」
と記載されている。これら記載及び第２図の記載を併せみれば、刊行物３には、
　プラスチックチューブ容器の胴部１に模様や文字等の印刷のない部分を設け、同部分に蛍光塗料から成る位置合せマークを設ける発明（以下、「刊行物３発明」という。）
が記載されるものと認める。
　
３．対比判断 
　本件発明１と刊行物１発明とを対比すると、刊行物１発明の「ゴルフボール包装箱」、及び「商品名、商標、広告用キャッチフレーズ、店頭広告用の文字や絵、各種の絵や記号等の印刷表示」は、本件発明１の「ゴルフボール包装体」、及び、「ブランド名、ボールの構造およびメーカー名を示す印刷表示」に相当し、刊行物１発明の「製造年月日、商品番号、ロット番号等の社内向けの情報」は、通常文字、数字または図形によって表示されるものであり、「商品名、商標、広告用キャッチフレーズ、店頭広告用の文字や絵、各種の絵や記号等の印刷表示」との対比において、ゴルフボ−ル供給側の関係者にのみ必要な情報と言うことが可能なものであるから、本件発明１の「ボ−ル製造工場および製造年月旬が文字、数字または図形によって表示されたゴルフボ−ル供給側の関係者にのみ必要な識別マーク」に相当するものと認める。
　また、本件発明１の「白地の部分」は、白色を付して作成される部分のみに特定されるものではなく、他の印刷表示との関係で印刷をしていない空白である部分を包含して特定されるものであり、刊行物１に記載された発明の「空白の面」もまた他の面の図柄との関係において空白であるから、それが部分であるか面であるかに差異を有するとしても、本件発明１の「白地」が刊行物１に記載された発明の「空白」を排除するものではないので、両発明は、
　ゴルフボール包装体のブランド名、ボールの構造およびメーカー名を示す印刷表示と、白地の部分に、ボ−ル製造工場および製造年月旬が文字、数字または図形によって表示されたゴルフボ−ル供給側の関係者にのみ必要な識別マークとを有したゴルフボール包装体
の発明である点で一致し、以下の点で両発明は相違している。
相違点１
　本件発明１の白地の部分は、ゴルフボール包装体のブランド名、ボールの構造およびメーカー名を示す印刷表示がなされた正面に設けられ、識別マークは、この白地の部分に、可視光線下では顕出せず、波長が約３４０〜４００ｎｍの近紫外線を照射したときに、緑、黄、橙、赤、桃、紫、青、黒もしくは白の単独、またはこれらを基調とする複数色の組み合わせよりなる色彩を生み出す蛍光塗料を用いて熱転写、タンポ印刷またはインクジェットによって形成されているのに対して、刊行物１発明の空白は、空白の面として形成され、空白の面に表示される社内向けの情報の具体的な印刷手段の記載はなく、蛍光塗料を用いるものではない点
相違点２
　本件発明１の識別マークは、その上を透明の樹脂膜によって被覆しているのに対して、刊行物１発明の社内向けの情報に関しては、そのような記載がない点
　
　以下、相違点について検討する。
［相違点１について］
　刊行物１には、刊行物１発明に加えて、上述のとおり、商品名、商標、広告用キャッチフレーズ、店頭広告用の文字や絵、各種の絵や記号等及び製造年月日、商品番号、ロット番号等の社内向けの情報を所謂ダース箱の表面の表示とすることが蓋が省かれた包装形態ではあるものの記載されており、このことは、通常の蓋のある包装体に対して蓋への同表示が示唆されていると言うべきものである。
　したがって、ゴルフボール包装体のブランド名、ボールの構造およびメーカー名を示す印刷表示がなされた正面に識別マークを形成することは、同示唆に基づいて、当業者が容易になしえた設計上の事項に属するものと認める。
　また、購入者向けではない情報の表示に、可視光線下では顕出しない蛍光塗料を用いた表示を用いることは、刊行物２，３にあるように周知の技術であり、所謂ブラックライトにより発現する蛍光塗料は、波長が約３４０〜４００ｎｍの近紫外線を照射したときに、緑、黄、橙、赤、桃、紫、青、黒もしくは白の色彩を生み出すものであるから、可視光線下では顕出せず、波長が約３４０〜４００ｎｍの近紫外線を照射したときに、緑、黄、橙、赤、桃、紫、青、黒もしくは白の単独、またはこれらを基調とする複数色の組み合わせよりなる色彩を生み出す蛍光塗料を用いることは、周知の蛍光塗料を用いる以上の格別の事項とは認められず、さらに、印刷手段として、熱転写、タンポ印刷またはインクジェットの何れも適宜選択可能な周知の印刷手段にすぎない。
　さらに、蛍光塗料を用いた購入者向けではない情報の表示を商品の印刷表示をなしていない空白部分になすことは、刊行物３に記載されており、刊行物１発明の空白が面を形成するとしても、箱表面の印刷に対しては、部分であり、社内向けの情報を付す部分を空白とし、そのような表示を空白面にまとめることの利点を述べているのであるから、刊行物１に記載される示唆に基づいて、正面に表示するに当たり、空白の部分を設けることは、刊行物１及び刊行物３の記載にされる以上の事項とは認められない。
　したがって、相違点１は、刊行物１、３に記載される発明及び周知の技術に基づいて、当業者が容易になしえたものと認める。
　
［相違点２について］
　包装体の印刷表面を透明の樹脂膜によって被覆することは、特段の例示をまつまでもなく周知の技術であり、相違点２は、単なる周知技術の採用以上のものとは認められず、当業者が適宜選定し得た設計上の事項にすぎないものと認める。
　 
　そして、本件発明１の奏する効果は、刊行物１〜３の記載及び周知の技術から予測される以上の格別のものとは認められない。
　したがって、本件発明１は、刊行物１〜３に記載された発明及び周知の技術に基づいて、当業者が容易に発明をすることができたものと認める。
 　 
 ４．むすび、 
 　以上のとおり、本件請求項１に係る発明は、特許法第２９条第２項の規定により特許を受けることができない発明であり、残余の請求項に係る発明について検討するまでもなく、本願は、平成１８年６月６日付けで通知した拒絶の理由によって拒絶されるべきものである。
　よって、結論のとおり審決する。